(57)【要約】【課題】  予め登録作業等の手間が必要なく、環境等の現在の状態、ユーザの嗜好に最適なメディアファイルを、複数のメディアファイルの中から選択し再生する携帯端末装置の提供を目的とする。【解決手段】  複数のメディアファイルを記憶するメディアファイル記憶手段と記憶されたメディアファイルを再生するメディア再生手段とを有する携帯端末装置において、前記メディアファイルの再生時に装置状態検出手段により検出された当該携帯端末装置の装置状態を当該メディアファイルの再生時装置状態として記憶し、所望の装置状態と前記記憶された複数のメディアファイルの再生時装置状態とを比較して、一致度合いの高い前記メディアファイルを抽出して再生リストを形成し、再生リストに基づきメディアファイルを再生する。【選択図】  図１
2008193472.tif 000002
【特許請求の範囲】
【請求項１】
複数のメディアファイルを記憶するメディアファイル記憶手段と記憶されたメディアファイルを再生するメディア再生手段とを有する携帯端末装置において、
当該携帯端末装置の装置状態を検出する装置状態検出手段、
前記メディアファイルの再生時に前記装置状態検出手段により検出された装置状態を当該メディアファイルの再生時装置状態として対応付けて記憶する再生時装置状態記憶手段、
所望の装置状態と前記再生時装置状態記憶手段に記憶された複数のメディアファイルの再生時装置状態とを比較して、一致度合いの高い前記メディアファイルを抽出して再生リストを形成する再生リスト形成手段を備え、
前記メディア再生手段は、前記再生リスト形成手段で形成された再生リストに基づきメディアファイルを再生することを特徴とする携帯端末装置。
【請求項２】
前記再生リスト形成手段は、所望時に前記装置状態検出手段により検出された装置状態を、前記再生時装置状態記憶手段に記憶された複数のメディアファイルの再生時装置状態と比較することを特徴とする請求項１に記載の携帯端末装置。
【請求項３】
所望の装置状態を指定する装置状態指定手段をさらに備え、
前記再生リスト形成手段は、前記装置状態指定手段で指定された装置状態を、前記再生時装置状態記憶手段に記憶された複数のメディアファイルの再生時装置状態と比較することを特徴とする請求項１に記載の携帯端末装置。
【請求項４】
前記メディアファイル記憶手段に記憶されたメディアファイルから所望のメディアファイルを指定するメディアファイル指定手段をさらに備え、
前記再生リスト形成手段は、前記メディアファイル指定手段で指定されたメディアファイルの再生時装置状態を、前記再生時装置状態記憶手段に記憶された複数のメディアファイルの再生時装置状態と比較することを特徴とする請求項１に記載の携帯端末装置。
【請求項５】
所望の装置状態を指定する装置状態指定手段、および／または前記メディアファイル記憶手段に記憶されたメディアファイルから所望のメディアファイルを指定するメディアファイル指定手段をさらに備え、
前記再生リスト形成手段は、所望時に前記装置状態検出手段により検出された装置状態、前記装置状態指定手段で指定された装置状態、前記メディアファイル指定手段で指定されたメディアファイルの再生時装置状態のいずれか２つ乃至３つの装置状態を、前記再生時装置状態記憶手段に記憶された複数のメディアファイルの再生時装置状態と比較することを特徴とする請求項１に記載の携帯端末装置。
【請求項６】
前記再生時装置状態記憶手段に記憶されたメディアファイルの再生時装置状態を編集する編集手段をさらに備え、
前記再生リスト形成手段は、所望の装置状態と前記再生時装置状態記憶手段に記憶され前記編集手段で編集された複数のメディアファイルの再生時装置状態とを比較することを特徴とする請求項１に記載の携帯端末装置。
【請求項７】
前記再生リスト形成手段で形成された再生リストを表示するリスト表示手段、前記再生リストを編集するリスト編集手段をさらに備え、
前記編集手段は、前記リスト編集手段の編集結果に基づき、前記再生時装置状態記憶手段に記憶されたメディアファイルの再生時装置状態を変更することを特徴とする請求項６に記載の携帯端末装置。
【請求項８】
前記メディアファイルの付随情報であるプロパティを記憶するプロパティ記憶手段、前記再生リストを編集するリスト編集手段をさらに備え、
前記リスト編集手段は、所望のプロパティと、前記プロパティ記憶手段に記憶され前記再生リスト上のメディアファイルに対応するプロパティとを比較して、一致度合いに基づき前記再生リストを編集することを特徴とする請求項１に記載の携帯端末装置。
【請求項９】
前記メディアファイルの再生時装置状態を予測する再生時装置状態予測手段をさらに備え、
前記再生時装置状態記憶手段は、前記メディアファイル記憶手段に新規のメディアファイルを記憶する際に、前記再生時装置状態予測手段により予測された再生時装置状態を、当該メディアファイルの再生時装置状態として記憶することを特徴とする請求項１に記載の携帯端末装置。
【請求項１０】
前記再生時装置状態予測手段は、前記メディアファイルのプロパティに基づき予測することを特徴とする請求項９に記載の携帯端末装置。
【請求項１１】
前記装置状態検出手段は、場所、季節、時間、天気、気温、湿度、気圧、高度、照度等のいずれかを含む環境状態を検出することを特徴とする請求項２に記載の携帯端末装置。
【請求項１２】
前記装置状態検出手段は、使用アプリケーション、充電状態、筐体開閉状態、イヤフォン接続状態、ユーザ設定状態等のいずれかを含む携帯端末自体の装置状態を検出することを特徴とする請求項２に記載の携帯端末装置。
【請求項１３】
前記装置状態検出手段は、当該携帯端末装置を携帯するユーザの体温、血圧、気分、脈拍数、移動速度等のいずれかを含むユーザ状態を検出することを特徴とする請求項２に記載の携帯端末装置。
【発明の詳細な説明】
【技術分野】
【０００１】
本発明は、携帯電話機、ＰＨＳ電話機（Personal Handyphone System）、ＰＤＡ装置（Personal Digital Assistant）、ノート型のパーソナルコンピュータ装置、携帯型の音楽プレーヤ装置等の携帯端末装置に関し、特に、記憶媒体に記憶した複数のメディアデータ（音楽データ、静止画像データ、動画像データ等）の再生制御に関するものである。
【背景技術】
【０００２】
近年、小型かつ大容量の記憶媒体を有する携帯型のメディアプレーヤが知られている。この携帯型のメディアプレーヤは、大量のメディアデータを記憶可能となっている。このような記憶媒体の小型大容量化、また、メディアデータの高圧縮化は益々進んでおり、一つの小型化された記憶媒体に対して、数十万、数百万個といった大量のメディアデータが記憶可能である。
【０００３】
ここで、記憶媒体に記憶されているメディアデータの再生方法としては、メディアデータの記憶順に再生を行う「ノーマル再生方法」の他、記憶されているメディアデータをランダムに再生する「ランダム再生方法」、及びユーザの指定順に再生を行う「指定再生方法」が知られている。しかし、「ランダム再生方法」の場合、ユーザの嗜好が反映されず、また、「指定再生方法」の場合、ユーザが、再生するメディアデータを再生する順に指定する必要があり大変面倒である。
【０００４】
今後、携帯電話等の通信機能を有するメディアプレーヤを用いて、放送局から配信されるメディアデータを自動的に記録するサービスや、メディアデータ蓄積サーバーからメディアデータを自動的にダウンロードするサービスが実現されることにより、ユーザが個々のメディアデータを管理することは益々困難な状況になっていくと予想され、ユーザの嗜好を反映して、かつ、再生するメディアデータをユーザが指定する必要のない再生方法が必要とされている。
【０００５】
特許文献１には、感情の度合いをユーザが手入力しなくても、ユーザの現在の感情に適した曲を自動的に選曲できるようになる自動選曲装置が開示されている。この自動選曲装置は、音楽の楽曲データとその曲の心理的な印象を表す空間の座標値である音楽感性空間座標値とが登録されているデータベース、ユーザの音声を検出する音声入力手段、音声入力手段によって検出された音声信号から、物理的特徴量を抽出する音声分析手段、音声分析手段によって抽出された物理的特徴量に基づいて、ユーザの感情を表す感情情報を生成する感情情報生成手段、感情情報生成手段によって得られた感情情報に基づいて、推奨する曲の心理的な印象を表す空間の座標値である音楽感性空間座標値を決定する感情情報／音楽感性空間座標変換手段が設けられており、音声入力手段から検出した音声信号から音楽感性空間座標値を決定し、決定された音楽感性空間座標値に最も近い曲を、データベースから選曲し、再生するものである。
【０００６】
また、特許文献２には、多数の楽曲データの中から、現在位置、現在時刻、天候、ユーザの嗜好等に適した音楽データを自動的に選曲し順に再生する携帯端末装置が開示されている。この携帯端末装置は、各メディアファイルの属性を示す属性情報が記憶された記憶手段、携帯端末装置の現在の状態を検出する現状検出手段、現状検出手段で検出された当該携帯端末装置の現在の状態に対応するキーワードを形成するキーワード形成手段、各メディアファイルのキーワードに対応する度合いを示す再生リストを形成する再生リスト形成手段が設けられており、キーワード形成手段で形成されたキーワードと、記憶手段に記憶されている各メディアファイルの属性情報を検索することで、再生リスト形成手段により形成された再生リストで示される上記キーワードに対応する度合いが強い順に、上記記憶手段に記憶されているメディアファイルを再生するものである。
【０００７】
【特許文献１】特開２００６−１５５１５７号
【特許文献２】特開２００６−２６２２５４号
【発明の開示】
【発明が解決しようとする課題】
【０００８】
特許文献１に開示されている従来技術では、感情に合った音楽データを再生することは可能であるが、周囲の環境条件や装置の状態を反映させた音楽データの再生が困難である。また、ユーザの感じ方には個人差があり、ユーザ毎に最適な音楽データの再生が困難であるという問題がある。
【０００９】
また、特許文献２に開示されている従来技術では、現在位置、現在時刻、天候、ユーザの嗜好に適した音楽データを再生することは可能であるが、各メディアファイルの属性を示す属性情報を予めデータベースに登録しておく必要があり、登録作業が大変面倒であるという問題があった。
【００１０】
本発明は、上述の課題に鑑みてなされたものであり、予め登録作業等の手間が必要なく、環境等の現在の状態、ユーザの嗜好に最適なメディアファイルを、複数のメディアファイルの中から選択し再生する携帯端末装置の提供を目的とする。
【課題を解決するための手段】
【００１１】
第１の発明に係る携帯端末装置は、複数のメディアファイルを記憶するメディアファイル記憶手段と記憶されたメディアファイルを再生するメディア再生手段とを有する携帯端末装置であって、当該携帯端末装置の装置状態を検出する装置状態検出手段と、前記メディアファイルの再生時に前記装置状態検出手段により検出された装置状態を当該メディアファイルの再生時装置状態として対応付けて記憶する再生時装置状態記憶手段と、所望の装置状態と前記再生時装置状態記憶手段に記憶された複数のメディアファイルの再生時装置状態とを比較して、一致度合いの高い前記メディアファイルを抽出して再生リストを形成する再生リスト形成手段とを備え、前記メディア再生手段が、前記再生リスト形成手段で形成された再生リストに基づきメディアファイルを再生するようにしたものである。
【発明の効果】
【００１２】
第１の発明によれば、再生時装置状態検出手段により検出された各メディアファイルの再生時装置状態を記憶し、記憶された再生時装置状態と所望の装置状態との比較により一致度合いの高いメディアファイルを抽出し再生するようにしたので、所望の装置状態に最適なメディアファイルを、複数のメディアファイルの中から容易に選択して再生することができる。
【発明を実施するための最良の形態】
【００１３】
実施の形態１．
図１は、本発明の実施の形態１に係る携帯端末装置である携帯電話機の主要部を示すブロック図である。図１において、本携帯電話機は、基地局との間で無線によるデータの送受信を行うアンテナ部１及び通信部２と、音楽データ、静止画像データ、動画像データ等のメディアファイルの再生操作、編集入力等を行うための操作部３とを有している。さらに、本携帯電話機は、当該携帯電話機の装置状態を検出する装置状態検出部４と、通信プログラム２１の他、各種アプリケーションプログラムが記憶されたプログラムメモリ５と、上記メディアファイルや各種データが記憶されたデータベース部６と、前記プログラムメモリ５に記憶されている各プログラムに基づいて、当該携帯電話機の各部の動作を制御する制御部７とを有している。
【００１４】
前記装置状態検出部４は、現在位置、現在時間、天気等の装置周辺の環境状態を検出する環境状態検出部１１と、筐体の開閉状態、イヤフォンの接続状態等の当該携帯電話機自体の状態を検出する端末装置状態検出部１２と、移動速度等の本携帯電話機を携帯するユーザの状態を検出するユーザ状態検出部１３により構成されている。環境状態検出部１１は、例えば、本携帯電話機の現在位置を検出するＧＰＳユニット（GPS：Global Positioning System）、現在時刻をカウントするタイマ、現在の月／日／曜日を示すカレンダー機能により構成される。また、通信部２、アンテナ部１を介してネットワーク上に設けられた所定のＷｅｂサイトに接続し、前記ＧＰＳユニットやタイマにより取得した現在位置、現在時刻に基づいて気象情報を取得することにより、現在の天気を検出する。端末装置状態検出部１２は、筐体が開いているか閉じているかを検出する筐体開閉検出センサ、イヤフォンが接続されているか否かを検出するイヤフォン接続センサにより構成される。ユーザ状態検出部１３は、規定時間ごとに現在位置を検出し、移動速度を算出する。
【００１５】
前記プログラムメモリ５には、基地局との間の無線通信や所定のＷｅｂサイトとの間の通信を行うための通信プログラム２１と、前記データベース部６に記憶されているメディアファイルの再生リストを生成するための再生リスト生成プログラム２２と、各メディアファイル再生時の当該携帯電話機の装置状態である再生時装置状態を管理するための再生時装置状態管理プログラム２３と、メディアファイルの再生を行うためのメディア再生手段であるメディア再生プログラム２４とが記憶されている。
【００１６】
データベース部６には、各メディアファイルの付加情報であるプロパティが記憶されたプロパティデータベース３１と、各メディアファイルの再生時に装置状態検出部４により検出された再生時装置状態が記憶された再生時装置状態データベース３２と、上記音楽データや静止画像データ等の各種メディアファイルが記憶されたメディアファイルデータベース３３とが記憶されている。
【００１７】
本携帯電話機は、ユーザにより指定された所望のメディアファイルを再生する「通常再生モード」と、メディアファイルデータベース３３に記憶されているメディアファイルをランダムに再生する「ランダム再生モード」と、当該携帯電話機の状況や状態に対応したメディアファイルを自動的に選択して再生する「おまかせ再生モード」とを有している。制御部７は、操作部３を介してユーザにより選択された再生モードでメディアファイルデータベース３３に記憶されているメディアファイルを再生制御する。本携帯電話機は、前記「通常再生モード」において、各メディアファイルが再生された時の当該携帯電話機の状況や状態をデータベース部６に記憶していくことで、前記「おまかせ再生モード」時に当該携帯電話機の状況や状態に最も適したメディアファイルを再生することを可能とする。
【００１８】
次に、メディアファイルの再生動作と、再生時装置状態データベース３２の作成動作を説明する。図２は、ユーザによる「通常再生モード」におけるメディアファイルの再生指示からメディアファイルの再生時装置状態データベース３２が記憶されるまでの動作の流れを模式的に示した図である。尚、以下においては、メディアファイルを一例として音楽データであることとして説明する。
【００１９】
図２において、ステップＳ２１でユーザにより操作部３を介して「通常再生モード」における音楽データの再生指示がなされると、制御部７は、プログラムメモリ５に記憶されているメディア再生プログラム２４に基づいて、再生指示された音楽データをデータベース部６のメディアファイルデータベース３３から読み込みながら再生する（ステップＳ２２）。これと共に、ステップＳ２３でプログラムメモリ５に記憶されている再生時装置状態管理プログラム２３に基づいて、装置状態検出部４の環境状態検出部１１により現在の環境状態（季節、曜日、時間帯、天気、場所）を検出する。また、ステップＳ２３と同様に、ステップＳ２４では装置状態検出部の端末装置状態検出部１２により現在の携帯電話機自体の状態（筐体の開閉、イヤフォンの有無）を検出し、ステップＳ２５では、装置状態検出部４のユーザ状態検出部１３により現在のユーザの状態（移動速度）を検出する。そして、ステップＳ２３、Ｓ２４、Ｓ２５でそれぞれ検出した再生時の装置状態（以下、再生時装置状態）を、前記メディアファイルデータベース３３に記憶されている再生中の音楽データに関連付けて、再生時装置状態データベース３２に記憶する（ステップＳ２６）。
【００２０】
図３は、再生時装置状態データベース３２に記憶する各音楽データに関連付けられた再生時装置状態のテーブルを示す。図３において、各音楽データ（ファイル名で表示）の再生時装置状態の項目として、季節、曜日、時間帯、天気、場所、移動速度、筐体開閉状態、イヤフォン接続状態がある。各項目には、季節における「春」、「夏」、「秋」、「冬」のような分類値を用意する。例えば、各項目の分類値として、曜日は「平日」、「休日」、時間帯は「朝」、「昼」、「夕」、「夜」、天気は「晴れ（含む曇）」、「雨」、「雪」、移動速度は「徒歩」、「乗物」、「静止」、筐体開閉状態は「筐体開」、「筐体閉」、イヤフォン接続状態は「イヤフォン接続有」、「イヤフォン接続無」を設ける。場所については、ある一定の範囲をグループ化することにより分類する。例えば、(a)はユーザの自宅周辺、(b)はユーザの職場周辺、(c)はユーザが買い物に訪れる地域、(d)はユーザが以前訪問した旅行先、(e)はその他の場所、等として分類する。
【００２１】
各音楽データの再生時装置状態のテーブルに記載されている数値は、該当音楽データが該当の装置状態で再生された場合の再生回数を示しており、例えば図３に示すファイル「０００１」の音楽データは、季節としては、「秋」に「１０」回、「冬」に「１０」回再生されたことがあることを示している。
【００２２】
ここで、例えば、ユーザが「通常再生モード」において、ファイル「０００１」を、「冬」、「平日」、「朝」、「晴れ」、「静止」、「筐体閉」、「イヤフォン接続無」、「(a)」の装置状態で再生した場合、再生時装置状態テーブルのファイル「０００１」における、「冬」、「平日」、「朝」、「晴れ」、「静止」、「筐体閉」、「イヤフォン接続無」、「(a)」の各項目に「１」が加算処理される。
【００２３】
以上のように、「通常再生モード」における音楽データの再生を繰り返し実行することで、各音楽データの再生時装置状態が再生時装置状態データベース３２に記憶／蓄積されていく。例えば、朝食を食べながら聞くことが多い音楽データはファイル「０００１」のように、通勤途中にインターネットやメール等の携帯電話機を使用しながら聞くことが多い音楽データはファイル「０００２」のように、会社で昼休みの外国語学習に用いている音楽データはファイル「０００３」のように、ベッドで寝ながら聞くことが多い音楽データはファイル「０００４」のような再生時装置状態になる。
【００２４】
尚、上記の再生時装置状態データベース３２の作成動作については「通常再生モード」における再生に基づき説明したが、携帯電話機の再生モードとして、ユーザの指定順に再生を行う「指定再生モード」を設け、「指定再生モード」における再生の場合に、各音楽データの再生時装置状態を再生時装置状態データベース３２に記憶するようにしてもよい。
【００２５】
次に、本携帯電話機の特徴的な再生動作である「おまかせ再生モード」時の再生リストの作成動作と、この再生リストに基づく再生動作を説明する。図４は、「おまかせ再生モード」時における再生リストの作成動作を模式的に示した図である。ステップＳ４１において、ユーザにより「おまかせ再生モード」による再生が指定されると、制御部７は、ステップＳ４２で再生リスト生成プログラム２２に基づいて、環境状態検出部１１で検出される当該携帯電話機の環境状態（季節、曜日、時間帯、天気、場所）を取得する。また、ステップＳ４２と同様に、ステップＳ４３では端末装置状態検出部１２を起動制御し、この端末装置状態検出部１２で検出される当該携帯電話機自体の状態（筐体の開閉、イヤフォンの有無）を取得し、ステップＳ４４では、ユーザ状態検出部１３を起動制御し、このユーザ状態検出部１３で検出される当該携帯電話機のユーザの状態（移動速度）を取得する。そして、制御部７は、ステップＳ４２、Ｓ４３、Ｓ４４でそれぞれ取得した現在の各装置状態から該当する各項目の分類値を決定し、再生時装置状態データベース３２の各音楽データの再生時装置状態を比較／検索して（ステップＳ４５）、該当する分類値に対応する再生回数が所定値、例えば「５」以上であると、該当する音楽データの「現装置状態との一致項目数」の項目に対して、該合致毎に「１」ずつ加算処理する（ステップＳ４６）。
【００２６】
例えば、ユーザが「おまかせ再生モード」において、再生指示した時の装置状態が、「冬」、「平日」、「朝」、「晴れ」、「静止」、「筐体閉」、「イヤフォン接続無」、「(a)」であった場合、季節の分類値「冬」で再生時装置状態データベース３２を検索して、季節が「冬」の再生回数が「５」以上である音楽データを検出した場合に、制御部７は、この音楽データの「現装置状態との一致項目数」の項目に「１」を加算処理する。同様に、曜日の分類値「平日」で再生時装置状態データベース３２を検索して、曜日が「平日」の再生回数が「５」以上である音楽データを検出した場合に、制御部７は、この音楽データの「現装置状態との一致項目数」の項目に「１」を加算処理する。尚、この「現装置状態との一致項目数」の項目は、図３に示すように、再生時装置状態データベース３２に書き込んでいるが、別テーブルを設けてもよい。
【００２７】
このように一つの項目が合致する毎に「現装置状態との一致項目数」を「１」ずつ加算処理していくことにより、ファイル名「０００１」の音楽データの一致項目数は「８」、ファイル名「０００２」の音楽データの一致項目数は「６」、ファイル名「０００３」の音楽データの一致項目数は「４」・・・等のように、再生時装置状態データベースに記憶された全ての音楽データの「一致項目数」が取得される。そして、制御部７は、「一致項目数」が多い順に設定した１以上の任意の数の音楽データを並べた再生リストを作成する。図３に示す再生時装置状態データベースの例においては、「０００１」、「０００４」、「０００２」・・・の順に「一致項目数」が多くなる。これに基づき、第１曲目として上記ファイル名「０００１」の音楽データを再生し、第２曲目として上記ファイル名「０００４」の音楽データを再生し、第３曲目として上記ファイル名「０００２」の音楽データを再生する再生リストが作成される。そして、制御部７は、プログラムメモリ５に記憶されているメディア再生プログラム２４に基づいて、上記再生リストの順に音楽データをメディアファイルデータベース３３から読み出して再生制御する（ステップＳ４７）。
【００２８】
上記「一致項目数」は、その数が多い音楽データほど、当該携帯電話機の現在の季節、曜日、時間帯、場所、装置状態、移動速度等の装置状態に合致していることを示す。したがって、「一致項目数」の多い順に再生順序を指定する再生リストを作成し、この再生リストの順に音楽データを再生制御することにより、当該携帯電話機の現在の状態に最も合致している音楽データから順に再生を行うことができる。
【００２９】
尚、この実施の形態１の装置状態検出部４で検出した装置状態は一例であり、環境状態として気温、湿度、照度、気圧、高度、端末装置状態として充電状態、電話アプリやゲーム等の使用アプリケーション、マナーモード等のユーザ設定、ユーザ状態として体温、血圧、脈拍数、気分等を検出するように装置状態検出部４を構成し、これらの装置状態を用いるようにしてもよい。
【００３０】
また、再生回数が「５」以上である場合に「一致項目数」を「１」ずつ加算処理するとしたが、ユーザにより所望の装置状態の項目が指定された場合に、指定項目に合致した場合に「一致項目数」へ加算処理する数値を相対的に大きくするように重み付けを行うことで、指定された装置状態の項目に特に対応する再生時装置状態を有する音楽データを上記再生リストの上位に加えることが可能となる。逆に、「一致項目数」へ加算処理する数値を相対的に小さくすることで、指定された装置状態の項目に特に対応する再生時装置状態を有する音楽データを上記再生リストから除外、または下位にすることが可能となる。
【００３１】
また、再生回数が「５」以上である場合に状態が一致するとしたが、各メディアファイルの合計再生回数やメディアファイル全体の再生回数に応じて比較する再生回数を調整したり、「５」以上の場合は「１」ずつ加算、「１０」以上の場合は「２」ずつ加算する等、再生回数に応じて加算処理する数値を可変にするようにしてもよい。
【００３２】
また、上記実施の形態１においては、簡略化のために、再生時装置状態データベース３２にメディアファイル毎の再生時装置状態を分類値で保存する方式としたが、例えば、日時分秒をデータベースに保存しておき、再生リスト作成時に、季節、曜日、時間帯を分類する等の処理を行うことにより、検出した再生時装置状態をそのまま再生時装置状態データベース３２に保存する方式でもよい。
【００３３】
また、「一致項目数」が多い音楽データから順に再生を行うこととしたが、例えば「一致項目数」が一番多い音楽データから、「一致項目数」が１０番目に多い音楽データをランダムに再生するようにして指定する機能を設けてもよい。
【００３４】
さらに、音楽データ毎に再生時装置状態を保存する方式としたが、音楽データ再生順が記載されたプレイリストや、放送型のサービスにおけるチャンネル等を一つの単位として再生時装置状態を保存する場合でも同様の効果が得られる。
【００３５】
尚、上記実施の形態１では、本発明を携帯電話機に適用することとしたが、本発明は、この他、ＰＨＳ電話機（Personal Handyphone System）、無線通信機能を有するＰＤＡ装置（Personal Digital Assistant）、或いは無線通信機能を有するノート型のパーソナルコンピュータ装置等の他の携帯端末装置に適用可能である。
【００３６】
実施の形態２．
本発明の実施の形態２に係る携帯電話機の構成は、実施の形態１と同様であるため説明を省略する。実施の形態１の携帯電話機では、再生リスト生成プログラム２２に基づいて作成した再生リストを元に音楽データの再生を行ったが、本発明の実施の形態２は、所望の音楽データを検索するために、ユーザが装置状態を指定して再生リストを作成し、これを元に音楽データを再生するものである。さらに、作成した再生リストの音楽データの一覧表示を行い、再生リストの編集により所望の音楽データの再生を行うものである。
【００３７】
まず、所望の音楽データを検索するために、ユーザが装置状態を指定する方法について説明する。例えば、ユーザが、以前、冬の休日に自宅以外で聞いた音楽データを検索したいとする。ユーザにより操作部３を介して、ユーザの所望の装置状態である「冬」、「休日」、「(a)以外」が指定されると、再生リスト生成プログラム２２に基づいて、制御部７は、「冬」、「休日」、「(a)以外」と各音楽データの再生時装置状態とを比較して、「一致項目数」を算出する。
【００３８】
図５に本発明の実施の形態２で使用する再生時装置状態データベース３２に記憶された各音楽データの再生時装置状態のテーブル例を示す。「一致項目数」の多い順に、第１曲目としてファイル名「０００７」の音楽データ、第２曲目としてファイル名「０００８」の音楽データの再生リストが作成される。
【００３９】
ここで、制御部７は選択により、実施の形態１と同様に作成された再生リストの順序で再生を開始するか、作成された再生リストの順に音楽データの一覧情報を、この携帯電話機が有する表示器にリスト表示する。本発明の実施の形態２に係る携帯電話機は、リスト表示した場合に、ユーザからの操作部３の入力に応じて、表示順序を変更したり、不要な音楽のリストを削除したりするなど、再生リストを編集することを可能にする再生リスト編集機能を有する。編集した再生リストは上書きまたは新規に保存される。制御部７は、編集した再生リストの順序で音楽データの再生を開始する。
【００４０】
さらに、制御部７は、ユーザより再生リスト上で編集された音楽データの再生時装置状態データベース上の再生回数を変更する。例えば、ユーザにより再生リストから削除された音楽データについては再生回数の数値を小さくすることで、削除された音楽データを次回検索時の再生リストから除外することが可能になる。また、ユーザにより再生リストの順序を変更された音楽データの再生回数の数値を、変更順序に基づいて大きくしたり、小さくすることで、次回検索時の再生リストをよりユーザの嗜好に合わせることが可能になる。また、再生時に所定の音楽データの再生をキャンセルできる機能を設け、キャンセルされた音楽データの再生回数の数値を小さくするようにすることで、同様に次回検索時にユーザの嗜好に合った再生リストを容易に作成できる。
【００４１】
実施の形態３．
本発明の実施の形態３に係る携帯電話機の構成は、実施の形態１と同様であるため説明を省略する。実施の形態１の携帯電話機では、再生リスト生成プログラム２２に基づいて作成した再生リストを元に音楽データの再生を行ったが、本発明の実施の形態３は、所望の音楽データを検索するために、ユーザが条件を指定して再生リストを作成し、これを元に音楽データを再生するものである。さらに、作成した再生リストの音楽データの一覧表示を行い、再生リストの編集により所望の音楽データの再生を行うものである。
【００４２】
まず、所望の音楽データを検索するために、ユーザが条件を指定する方法について説明する。本実施の形態３では、ユーザが検索したい音楽データに条件が近いと考える音楽データを指定する。表示部に再生時装置状態データベース３２に記憶された各音楽データの再生時装置状態テーブルを表示する。このうちユーザが、ファイル名「０００５」の条件に近い音楽データを検索したいとする。ユーザにより操作部３を介して、「０００５」のファイルが指定されると、制御部７は、「０００５」の再生時装置状態である「冬」、「休日」、「昼」、「晴」、「徒歩」、「筐体閉」、「イヤフォン接続有」、「(a)」を抽出し、これらと各音楽データの再生時装置状態とを比較して「一致項目数」を算出する。
【００４３】
図６に本発明の実施の形態３で使用する再生時装置状態データベース３２に記憶された各音楽データの再生時装置状態のテーブル例を示す。「一致項目数」の多い順に、第１曲目としてファイル名「０００５」の音楽データ、第２曲目としてファイル名「０００６」の音楽データ、第３曲目としてファイル名「０００８」の音楽データの再生リストが作成される。
【００４４】
作成された再生リストは、上述の実施の形態２と同様に、再生リストの順序で再生を開始するか、ユーザにより編集するかを選択でき、編集した場合は編集後の再生リストの順序で音楽データの再生を開始する。
【００４５】
以上によれば、検索したい音楽データに条件の近い音楽データを指定して検索を行うので、よりユーザの嗜好に合った再生リストを容易に作成できる。
【００４６】
実施の形態４．
上述の実施の形態１乃至３では、比較する装置状態を指定する方法として、現在の装置状態、ユーザによる装置状態指定、ユーザによるファイル指定の三つの方法を説明したが、本実施の形態４では、これらのうちいずれか二個乃至三個を組合せて指定可能とする。組合せて指定する場合、複数の装置状態の「一致項目数」の合計値で比較する。
【００４７】
また、ユーザにより指定された楽曲データのプロパティを検索条件に追加することにより、よりユーザの嗜好に適した検索が可能となる。音楽データのプロパティはプロパティデータベース３１にユーザ入力により記憶するか、当該音楽データのヘッダを解析して取得したプロパティを記憶するようにする。
【００４８】
図７にプロパティデータベース３１に記憶されたプロパティの例を示す。プロパティの項目として、タイトル名、アーティスト名、アルバム名、年、ジャンル、作曲者、作詞者、権利者、販売元、コメント等がプロパティデータベース３１に記憶されている。例えば、ユーザが操作部３を介して、「ジャンル」を「ポップ」と指定した場合、指定された１つまたは複数の装置状態との比較により作成された再生リストから、「ジャンル」が「ポップ」以外である「０００５」「０００６」「０００７」「０００８」「０００９」を除外する。例えば、ユーザが操作部３を介して、「ジャンル」を「レゲエ以外」と指定した場合、「ジャンル」が「レゲエ」である「０００６」を再生リストから除外する。
【００４９】
ここで、新規の音楽データを登録する場合の動作について説明する。新規登録された直後の音楽データを再生リストに加えるためには、適した再生時装置状態を設定する必要がある。本発明の実施の形態４では、既に登録されている音楽データのうち、そのプロパティが新規音楽データと同様もしくは類似の音楽データに係る再生時装置状態を設定する。例えば、図７に示すプロパティを有する音楽データ「００１０」を新規に登録するとする。制御部７は、プロパティデータベース３１に登録された各音楽データのプロパティと新規音楽データのプロパティとを項目毎に比較して、例えば一致項目数を加算により算出し、最もプロパティの共通項目が多いファイル名、図７の例では「０００５」を検索する。そして、「０００５」の再生時装置状態を抽出し、これを「００１０」の再生時装置状態として再生時装置状態データベース３２に記憶する。
【００５０】
以上によれば、再生リスト作成の検索条件として、異なる指定方法による装置状態を組み合わせたものを使用するようにしたので、よりユーザの嗜好に合った再生リストを作成することができる。また、検索条件にさらに音楽データのプロパティを追加したので、さらにユーザの嗜好に適した検索が可能となる。さらに、新規音楽データを登録する場合に、プロパティが同様／類似の既登録の音楽データの再生時装置状態を利用することにしたので、新規音楽データについても「通常再生モード」における再生を行う前に、「おまかせ再生モード」の検索対象として使用することができる。
【図面の簡単な説明】
【００５１】
【図１】本発明の実施の形態１における携帯電話機の主要部のブロック図である。
【図２】本発明の実施の形態１における再生時装置状態データベース作成のフローチャートである。
【図３】本発明の実施の形態１における再生時装置状態のテーブル説明図である。
【図４】本発明の実施の形態１における「おまかせ再生モード」の動作を示すフローチャートである。
【図５】本発明の実施の形態２における再生時装置状態のテーブル説明図である。
【図６】本発明の実施の形態３における再生時装置状態のテーブル説明図である。
【図７】本発明の実施の形態４における再生時装置状態のテーブル説明図である。
【符号の説明】
【００５２】
３  操作部、４  装置状態検出部、５  プログラムメモリ、６  データベース部、
１１  環境状態検出部、１２  端末装置状態検出部、１３  ユーザ状態検出部、
２１  通信プログラム、２２  再生リスト生成、
２３  再生時装置状態管理プログラム、２４  メディア再生プログラム、
３１  プロパティデータベース、３２  再生時装置状態データベース、
３３  メディアファイルデータベース。
【図１】
2008193472.tif 000003
【図２】
2008193472.tif 000004
【図３】
2008193472.tif 000005
【図４】
2008193472.tif 000006
【図５】
2008193472.tif 000007
【図６】
2008193472.tif 000008
【図７】
2008193472.tif 000009